(57)【要約】【課題】ペン状入力器具に機能ボタンを設け、この機能ボタンの誤操作を防止するとともにペン状入力器具の入力操作性を向上させる。【解決手段】ペン状入力器具１の棒状軸部７の外周部の形状をこの棒状軸部７を把持する把持位置が一定となる形状に形成し、棒状軸部７の外周部におけるこの棒状軸部７を把持した手の近傍であって把持位置以外の部位に機能ボタン９を設ける。ペン状入力器具１により入力操作を行う場合において、棒状軸部７の把持位置が一定となり、把持した棒状軸部７が入力操作中に回転するということが防止され、入力操作中に棒状軸部７が回転したために機能ボタン９を誤操作により押してしまうことが防止される。【選択図】    図１
2004151805.tif 000002
【特許請求の範囲】
【請求項１】
タッチパネル付情報表示装置に対して入力操作を行う棒状軸部を備えたペン状入力器具において、
前記棒状軸部の外周部の形状がこの棒状軸部を把持する把持位置が一定となる形状に形成され、前記棒状軸部の外周部におけるこの棒状軸部を把持した手の近傍であって把持位置以外の部位に機能ボタンが設けられていることを特徴とするペン状入力器具。
【請求項２】
前記棒状軸部の外周部における少なくとも把持位置の部分は、前記棒状軸部の軸線と直交する方向の断面形状が楕円形に形成されていることを特徴とする請求項１記載のペン状入力器具。
【請求項３】
断面形状が楕円形に形成された部分における長径方向の一端側に前記機能ボタンが設けられていることを特徴とする請求項２記載のペン状入力器具。
【請求項４】
前記棒状軸部の先端部に、押圧されることにより信号を出力する発信部が設けられていることを特徴とする請求項２又は３記載のペン状入力器具。
【発明の詳細な説明】
【０００１】
【発明の属する技術分野】
本発明は、タッチパネル付情報表示装置において入力操作用として使用されるペン状入力器具に関する。
【０００２】
【従来の技術】
従来、タッチパネル付情報表示装置において位置情報や文字等の入力操作を行うペン状入力器具において、追加した機能を発揮させる機能ボタンを備えたものが提案されている（例えば、特許文献１、特許文献２参照）。機能ボタンの機能としては、例えば、ポインティングデバイスであるマウスに設けられているクリック用ボタンと同様の機能等であり、このような機能ボタンを設けることによってペン状入力器具による入力操作性の大幅な向上を図ることができる。
【０００３】
このような機能ボタンを設ける位置としては、ペン状入力器具を把持した状態で親指や人差し指等で押圧操作できる位置であることが好ましい。
【０００４】
また、ペン状入力器具の軸部の形状としては、軸線と直交する方向の断面形状が円形のものが一般的であるが、扁平な形状としたものも提案されている（例えば、特許文献３参照）。
【０００５】
【特許文献１】
特開平８−２４１１６５号公報
【特許文献２】
特開平７−２７１５０９号公報
【特許文献３】
特開平８−３１４５７１号公報
【０００６】
【発明が解決しようとする課題】
ペン状入力器具の軸部の断面形状が円形であると、ペン状入力器具を把持して入力操作を行っているときにペン状入力器具が軸線回りに回転しやすく、ペン状入力器具の把持位置が一定にならない。このため、特許文献１、特許文献２に示すようにペン状入力器具に機能ボタンを設けた場合、ペン状入力器具を把持して入力操作を行っているときに、機能ボタンを誤操作により押してしまうことがある。
【０００７】
このような誤操作を防止するために、ペン状入力器具の把持位置を確認しながら入力操作を行うのであれば、入力操作性が低下する。
【０００８】
また、このような誤操作を防止するために機能ボタンを把持位置から離れた位置に設けると、機能ボタンを操作する度にペン状入力器具を持ちかえなければならず、入力操作性が低下する。
【０００９】
特許文献３に記載されたペン状入力器具は、収納位置への出し入れ性の向上や収納位置からの脱落防止等の観点から軸部を扁平な形状としたものであり、機能ボタンを設ける場合との関連性はない。
【００１０】
本発明の目的は、機能ボタンの誤操作を防止できるとともに入力操作性の向上を図ることができるペン状入力器具を提供することである。
【００１１】
【課題を解決するための手段】
請求項１記載の発明は、タッチパネル付情報表示装置に対して入力操作を行う棒状軸部を備えたペン状入力器具において、前記棒状軸部の外周部の形状がこの棒状軸部を把持する把持位置が一定となる形状に形成され、前記棒状軸部の外周部におけるこの棒状軸部を把持した手の近傍であって把持位置以外の部位に機能ボタンが設けられていることを特徴とする。
【００１２】
したがって、ペン状入力器具により入力操作を行う場合において、棒状軸部の把持位置が一定となり、把持した棒状軸部が入力操作中に回転するということが防止され、入力操作中に棒状軸部が回転したために機能ボタンを誤操作により押してしまうことが防止される。
【００１３】
ここで、棒状軸部を把持する把持位置が一定となる形状としては、請求項２で説明するように断面形状を楕円形とした場合や、断面形状を三角形とした場合や、把持する手の形に応じた凹みを付けた場合等が挙げられる。
【００１４】
請求項２記載の発明によれば、請求項１記載の発明のペン状入力器具において、前記棒状軸部の外周部における少なくとも把持位置の部分は、前記棒状軸部の軸線と直交する方向の断面形状が楕円形に形成されていることを特徴とする。
【００１５】
したがって、棒状軸部を把持するとき、断面形状が楕円形に形成されている部分の長径方向の一端側の部分が親指と人差し指との間に入り込むとともにその姿勢が安定して維持され、入力操作中に棒状軸部が回転するということが防止され、棒状軸部の把持位置が一定となる。また、棒状軸部の把持位置の部分の断面形状が楕円形に形成されることにより、棒状軸部を違和感なく把持することができ、入力操作性の向上に寄与できる。
【００１６】
なお、棒状軸部の外周部における少なくとも把持位置の部分の断面形状が楕円形に形成されたもので、棒状軸部の軸線方向の全体に亘って断面形状を楕円形に形成した場合も含まれる。
【００１７】
また、ここでいう「楕円形」とは、厳密な楕円形を意味するのではなく、概ね楕円形と認められる形状を意味する。
【００１８】
請求項３記載の発明は、請求項２記載の発明のペン状入力器具において、断面形状が楕円形に形成された部分における長径方向の一端側に前記機能ボタンが設けられていることを特徴とする。
【００１９】
したがって、棒状軸部における断面形状が楕円形に形成された部分における長径方向の一端側は、棒状軸部を把持したときの把持位置以外の部位となる部分であり、この部分に機能ボタンを設けることにより、入力操作中において機能ボタンを誤操作により押してしまうことが防止される。
【００２０】
請求項４記載の発明は、請求項２又は３記載の発明のペン状入力器具において、前記棒状軸部の先端部に、押圧されることにより信号を出力する発信部が設けられていることを特徴とする。
【００２１】
したがって、入力操作時には発信部が押圧されることにより発信部から出力された信号をタッチパネル付情報表示装置内に設けられた受信部で受信することにより入力操作が行われていることを検出するが、棒状軸部を違和感なく把持できるため、入力操作時における発信部の押圧を確実に行え、入力操作の精度が向上する。
【００２２】
【発明の実施の形態】
本発明の一実施の形態を図面に基づいて説明する。本実施の形態のペン状入力器具１は、図４及び図５に示すように、タッチパネル付情報表示装置２におけるタッチパネル３を押圧することにより位置情報や文字等の入力操作を行うように使用される。
【００２３】
タッチパネル３の下端側コーナー部には、発光部と多数の受光部とを備えてペン状入力器具１の位置座標（Ｘ軸、Ｙ軸方向の位置）を三角測量の原理による検出するための一対の位置座標検出部４、５が設けられている。タッチパネル３の両側縁部と上縁部とには、位置座標検出部４、５の発光部から発光された光を受光部へ反射させる再帰性反射板６が設けられている。位置座標検出部４、５の発光部から発光された光は再帰性反射板６で反射した後に位置座標検出部４、５の受光部で受光されるが、ペン状入力器具１が位置する部分に対応する受光部では受光が行われないので、その受光が行われない受光部のデータから、ペン状入力器具１の位置座標を検出することができる。
【００２４】
ペン状入力器具１は、図１及び図３に示すように、中空状の棒状軸部７、棒状軸部７の一端側先端部に設けられた発信部であるＬＥＤ８、棒状軸部７の外周部に設けられた機能ボタン９、棒状軸部７内に収納されたプリント回路基板１０や電池１１等により構成されている。
【００２５】
棒状軸部７は、軸線と直交する方向の断面形状が楕円形に形成されている。
【００２６】
棒状軸部７の一端側先端部に設けられたＬＥＤ８は、出没自在であって突出する向きに付勢されて設けられている。入力操作時にＬＥＤ８をタッチパネル３に押圧すると、ＬＥＤ８が押圧されて押し込み位置へ移動して接点が接続され、発光する構造とされている。ＬＥＤ８から発光された光は、タッチパネル付情報表示装置２内に設けられた受信機１２で受信され、この受信に基づいてペン状入力器具１による入力操作が行われていることが検出される。
【００２７】
機能ボタン９は、軸線と直交する方向の断面形状を楕円形に形成された棒状軸部７におけるその楕円形の長径方向の一端側であって、棒状軸部７を把持した手の近傍となる位置に設けられている。機能ボタン９の機能としては、例えば、ポインティングデバイスであるマウスに設けられているクリック用ボタンと同様の機能等であり、タッチパネル３上に表示されたアイコンの指示等に用いられる。
【００２８】
このような構成において、ペン状入力器具１を用いてタッチパネル３上で入力操作を行う場合、オペレータはペン状入力器具１の棒状軸部７を把持する。このとき、棒状軸部７の軸線と直交する方向の断面形状が楕円形に形成されているので、その楕円形の長径方向の一端側が親指と人差し指との間に入り込むとともにその姿勢が安定して維持され、入力操作中に棒状軸部７が回転するということが防止される。このため、ペン状入力器具１を把持して入力操作を行っている際に棒状軸部７が回転したために機能ボタン９を誤操作により押してしまうことが防止される。
【００２９】
さらに、棒状軸部７における軸線と直交する方向の断面形状が楕円形に形成された部分の長径方向の一端側が親指と人差し指との間に入り込むことにより、棒状軸部７を違和感なく把持することができ、入力操作性が向上する。そして、入力操作時にＬＥＤ８を適度な押圧力でタッチパネル３に押圧することができ、入力操作中におけるＬＥＤ８からの発光を確実に行わせることができ、入力操作の精度が向上する。
【００３０】
また、棒状軸部７内へのプリント回路基板１０や電池１１等の収納に関して、棒状軸部７の断面形状を楕円形としたことにより、プリント回路基板１０や電池１１等をその周囲に無駄な空間を形成することなく収納することができ、ペン状入力器具１の細径化を図ることができ、より一層の把持性、操作性の向上を図ることができる。
【００３１】
なお、本実施の形態では、棒状軸部７の先端部にＬＥＤ８を取付けたペン状入力器具１を例に挙げて説明したが、ペン状入力器具の構造としては先端部にＬＥＤを有しないものであってもよい。
【００３２】
【発明の効果】
請求項１記載の発明のペン状入力器具によれば、入力操作を行う場合において棒状軸部の把持位置が一定となり、把持した棒状軸部が入力操作中に回転するということを防止でき、入力操作中に棒状軸部が回転したために機能ボタンを誤操作により押してしまうことを防止できる。
【００３３】
請求項２記載の発明によれば、請求項１記載の発明のペン状入力器具において、前記棒状軸部の外周部における少なくとも把持位置の部分は、前記棒状軸部の軸線と直交する方向の断面形状が楕円形に形成されているので、棒状軸部を把持するとき、断面形状が楕円形に形成されている部分の長径方向の一端側の部分が親指と人差し指との間に入り込むとともにその姿勢を安定して維持することができ、入力操作中に棒状軸部が回転するということを防止して棒状軸部の把持位置を一定とすることができ、さらに、棒状軸部の把持位置の部分の断面形状を楕円形に形成することにより棒状軸部を違和感なく把持することができる。
【００３４】
請求項３記載の発明によれば、請求項２記載の発明のペン状入力器具において、断面形状が楕円形に形成された部分における長径方向の一端側に前記機能ボタンが設けられているので、棒状軸部における断面形状が楕円形に形成された部分における長径方向の一端側は棒状軸部を把持したときの把持位置以外の部位となる部分であり、この部分に機能ボタンを設けることにより、入力操作中において機能ボタンを誤操作により押してしまうことを防止できる。
【００３５】
請求項４記載の発明によれば、請求項２又は３記載の発明のペン状入力器具において、前記棒状軸部の先端部に、押圧されることにより信号を出力する発信部が設けられているので、入力操作時には発信部が押圧されることにより発信部から出力された信号をタッチパネル付情報表示装置内に設けられた受信部で受信することにより入力操作が行われていることを検出するが、棒状軸部を違和感なく把持できるため、入力操作時における発信部の押圧を確実に行え、入力操作の精度を向上させることができる。
【図面の簡単な説明】
【図１】本発明の一実施の形態のペン状入力器具を示すもので、（ａ）は側面図、（ｂ）は背面図である。
【図２】ペン状入力器具の把持状態を示す説明図である。
【図３】ペン状入力器具を示すもので、（ａ）は縦断側面図、（ｂ）は縦断背面図である。
【図４】タッチパネル付情報表示装置の概略を示す斜視図である。
【図５】タッチパネル付情報表示装置の概略を示す断面図である。
【符号の説明】
１      ペン状入力器具
２      タッチパネル付情報表示装置
７      棒状軸部
８      発信部
９      機能ボタン
【図１】
2004151805.tif 000003
【図２】
2004151805.tif 000004
【図３】
2004151805.tif 000005
【図４】
2004151805.tif 000006
【図５】
2004151805.tif 000007